(57)【特許請求の範囲】
【請求項１】
異なる極性の電極が互いに絶縁された状態で交互に積層された電極組立体と、
前記電極組立体並びに電解液が収容されたケースと、
前記ケース内に配置され、前記ケース内に発生したガスによって作動し、前記ケース内の通電経路を遮断可能な作動部材と、を備え、
前記作動部材は、前記ガスの圧力を受ける受圧部を有し、
前記電極組立体には、前記電極の積層方向に前記電極組立体を保持する保持テープが貼り付けられており、
前記保持テープは、前記受圧部と対向する対向部分を有する前記電極組立体の面に前記対向部分を避けて貼り付けられている蓄電装置。
【請求項２】
前記保持テープは、前記対向部分を有する前記電極組立体の面の端に位置している請求項１に記載の蓄電装置。
【請求項３】
前記電極の端部から突出したタブと電気的に接続された導電部材と、
前記導電部材と電気的に接続された電極端子と、を備え、
前記作動部材は、一方の極性の前記電極端子と前記電極組立体との通電経路上に位置する電流遮断部材であって、
前記電流遮断部材は、前記一方の極性の電極端子と一体化されている請求項１又は請求項２に記載の蓄電装置。
【請求項４】
前記ケースに位置し、前記ケース内に発生したガスによって作動することで前記ケース内の圧力をケース外に開放させる圧力開放弁を備え、
前記圧力開放弁は、前記ガスの圧力を受ける受圧部を有し、
前記保持テープは、前記圧力開放弁の前記受圧部と対向する対向部分を避けて位置している請求項１〜請求項３のうち何れか一項に記載の蓄電装置。
【請求項５】
前記保持テープには、前記受圧部との対向部分に前記ガスの流通路となる孔が穿設されている請求項１〜請求項４のうち何れか一項に記載の蓄電装置。
【請求項６】
前記蓄電装置は、二次電池である請求項１〜請求項５のうち何れか一項に記載の蓄電装置。
【発明の詳細な説明】
【技術分野】
【０００１】
本発明は、ケース内に発生したガスによって作動する作動部材を備えた蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。二次電池は、正極電極及び負極電極を有する電極組立体と、この電極組立体を収容したケースと、正極及び負極の電極端子と、各極性の電極端子と電極組立体とを接続する導電部材と、を有する。
【０００３】
また、二次電池には、ケース内に発生したガスによって作動する作動部材を備えたものがある。この種の作動部材としては、例えば、過充電等が発生したときに、二次電池内での通電経路を流れる電流を遮断する電流遮断部材などが挙げられる（例えば、特許文献１）。
【先行技術文献】
【特許文献】
【０００４】
【特許文献１】特開２０１０−２１２０３４号公報
【発明の概要】
【発明が解決しようとする課題】
【０００５】
二次電池のケース内は、例えば、過充電等などの異常時に電解液から発生するガスによって圧力が高まる。そして、前述した作動部材は、ケース内に発生したガスからの圧力を受けて作動する。このため、二次電池は、作動部材へのガスの流通経路を確保しておくことが好ましい。
【０００６】
この発明は、このような実情に鑑みてなされたものであり、その目的は、ケース内で発生したガスを作動部材に対して流通させ易い蓄電装置を提供することにある。
【課題を解決するための手段】
【０００７】
上記問題点を解決するための蓄電装置は、異なる極性の電極が互いに絶縁された状態で交互に積層された電極組立体と、前記電極組立体並びに電解液が収容されたケースと、前記ケース内に配置され、前記ケース内に発生したガスによって作動し、前記ケース内の通電経路を遮断可能な作動部材と、を備え、前記作動部材は、前記ガスの圧力を受ける受圧部を有し、前記電極組立体には、前記電極の積層方向に前記電極組立体を保持する保持テープが貼り付けられており、前記保持テープは、前記受圧部と対向する対向部分を避けて位置している。
【０００８】
これによれば、ケース内で発生したガスは、保持テープによって流通路が遮断されず、作動部材に到達する。このため、作動部材は、作動に必要な圧力を受圧し、良好に作動できる。したがって、電極組立体を保持するために保持テープを採用する場合であっても、ガスを作動部材に対して流通させ易くできる。
【０００９】
上記蓄電装置において、前記保持テープは、前記対向部分を有する前記電極組立体の面の端に位置していることが好ましい。これによれば、保持テープによって電極組立体が良好に保持される。
【００１０】
上記蓄電装置において、前記電極の端部から突出したタブと電気的に接続された導電部材と、前記導電部材と電気的に接続された電極端子と、を備え、前記作動部材は、一方の極性の前記電極端子と前記電極組立体との通電経路上に位置する電流遮断部材であって、前記電流遮断部材は、前記一方の極性の電極端子と一体化されているのが好ましい。これによれば、電流遮断部材に対してガスを流通させ易くできる。
【００１１】
上記蓄電装置において、前記ケースに位置し、前記ケース内に発生したガスによって作動することで前記ケース内の圧力をケース外に開放させる圧力開放弁を備え、前記圧力開放弁は、前記ガスの圧力を受ける受圧部を有し、前記保持テープは、前記圧力開放弁の前記受圧部と対向する対向部分を避けて位置している。これによれば、圧力開放弁に対してガスを流通させ易くできる。
【００１２】
上記蓄電装置において、前記保持テープには、前記受圧部との対向部分に前記ガスの流通路となる孔が穿設されていても良い。これによれば、保持テープにより、ガスの流通路を確保しつつ、貼り付け面積も確保されて電極組立体が良好に保持される。
【００１３】
上記蓄電装置において、前記蓄電装置の好適な例としては、二次電池を挙げることができる。
【発明の効果】
【００１４】
本発明によれば、作動部材に対してガスを流通させ易くできる。
【図面の簡単な説明】
【００１５】
【図１】二次電池を示す斜視図。
【図２】電極組立体の分解斜視図。
【図３】二次電池の分解斜視図。
【図４】図１の１−１線断面図。
【図５】二次電池の内部を示す一部断面図。
【図６】電極組立体の上面を示す平面図。
【図７】（ａ）は電極組立体の上面に位置する保持テープを示す平面図、（ｂ）は保持テープの斜視図。
【発明を実施するための形態】
【００１６】
（第１の実施形態）
以下、蓄電装置を二次電池に具体化した第１の実施形態について図１〜図６を用いて説明する。
【００１７】
図１に示すように、蓄電装置としての二次電池１０は、ケース１１を備えている。ケース１１は、一方に開口した有底箱状のケース本体１２と、ケース本体１２の開口部分を塞ぐ平板状の蓋１３とを備えている。ケース本体１２と蓋１３とは、溶接などによって接合されている。
【００１８】
ケース１１は、四角箱状であり、長辺と短辺を有する矩形平板状の底壁１２ａと、底壁１２ａの四辺から立設された複数の側壁と、を有する。底壁１２ａは、ケース本体１２の開口部分を塞ぐ蓋１３と対向する。複数の側壁は、底壁１２ａの四辺において短辺に立設されるとともに対向する２つの短側壁１２ｂ，１２ｃと、底壁１２ａの四辺において長辺に立設されるとともに対向する２つの長側壁１２ｄ，１２ｅと、からなる。長側壁１２ｄ，１２ｅは、短側壁１２ｂ，１２ｃよりも面積が大きい。この実施形態の二次電池１０は、その外観が角型をなす角型電池である。
【００１９】
二次電池１０のケース１１には、電極組立体１４及び電解液（図示略）が収容されている。電解液は、二次電池１０の過充電などの異常時、詳しくは正極の電位が過度に高くなったときに水素ガスを発生する成分を含む。また、二次電池１０は、電極端子としての正極端子１５及び負極端子１６を備える。正極端子１５及び負極端子１６は、ケース１１の壁部としての蓋１３に締結されている。また、正極端子１５及び負極端子１６は、一部がケース１１の内部に位置し、一部がケース１１から外部に突出している。なお、本実施形態の二次電池１０は、例えばリチウムイオン電池である。
【００２０】
図２に示すように、電極組立体１４は、異なる極性の電極としての正極電極２１と負極電極２２とを、間にセパレータ２３を介在させて交互に積層した構造である。負極電極２２と正極電極２１との間は、セパレータ２３によって絶縁されている。なお、正極電極２１と、負極電極２２と、セパレータ２３とを積層した方向を電極組立体１４の積層方向とする。
【００２１】
正極電極２１、負極電極２２、及びセパレータ２３は、短辺及び長辺を有する長方形状のシートである。正極電極２１は、長方形状の正極金属箔（例えばアルミニウム箔）２１ａと、当該正極金属箔２１ａの両面にある正極活物質層２１ｂと、を有する。負極電極２２は、長方形状の負極金属箔（例えば銅箔）２２ａと、当該負極金属箔２２ａの両面にある負極活物質層２２ｂと、を有する。
【００２２】
正極電極２１は、当該正極電極２１の端部２１ｃから突出した形状の正極タブ３１を有する。同様に、負極電極２２は、当該負極電極２２の端部２２ｃから突出した形状の負極タブ３２を有する。正極電極２１と負極電極２２は、各タブ３１，３２の同一極性同士が列状に配置されるように積層されている。
【００２３】
図３に示すように、この実施形態の電極組立体１４は、正極電極２１と、負極電極２２と、セパレータ２３と、を積層することにより、直方体状に構成されている。電極組立体１４は、積層方向の両端に第１平面１４ａと第１平面１４ａに対向する第２平面１４ｂを有する。第１平面１４ａと第２平面１４ｂには、積層方向から見て正極活物質層２１ｂと負極活物質層２２ｂとが対向する対向領域が投影される。また、電極組立体１４は、第１平面１４ａと第２平面１４ｂを囲む四つの面のうち、その一つの面にタブ側端面１４ｃを備える。また、電極組立体１４は、前記四つの面のうち、その一つの面に底面１４ｄを備え、底面１４ｄはタブ側端面１４ｃに対向する。また、電極組立体１４は、前記四つの面のうち、残りの二つの面に側面１４ｅ，１４ｆを備える。
【００２４】
電極組立体１４の各面は、電極組立体１４をケース１１に収容した状態においてケース１１を構成する各壁に面する。具体的に言えば、第１平面１４ａ及び第２平面１４ｂは、ケース本体１２の長側壁１２ｄ，１２ｅに面する。タブ側端面１４ｃは、蓋１３に面する。底面１４ｄは、ケース本体１２の底壁１２ａに面する。側面１４ｅ，１４ｆは、ケース本体１２の短側壁１２ｂ，１２ｃに面する。
【００２５】
図３に示すように、各負極タブ３２は、電極組立体１４における積層方向の一方に寄せて集められた状態で他方に折り返されている。同様に、各正極タブ３１は、電極組立体１４における積層方向の一方に寄せて集められた状態で他方に折り返されている。各正極タブ３１及び各負極タブ３２は、電極組立体１４のタブ側端面１４ｃから突出し、電極組立体１４のタブ側端面１４ｃから蓋１３に向けて突出している。
【００２６】
図３〜図５に示すように、二次電池１０は、正極タブ３１と正極端子１５とを電気的に接続する導電部材としての正極導電部材４０を備える。正極導電部材４０は、一枚の金属板（本実施形態ではアルミニウム板）で構成されている。正極導電部材４０は、ケース１１の蓋１３と電極組立体１４との間に存在し、正極タブ３１及び正極端子１５の双方に接合されている。
【００２７】
正極導電部材４０は、相対的に蓋１３寄りに配置された正極第１接合部４１と、正極第１接合部４１よりも電極組立体１４に近い位置に配置された正極第２接合部４２と、正極第１接合部４１と正極第２接合部４２とを繋ぐ湾曲状の正極第３接合部４３と、を有する。正極第１接合部４１において、電極組立体１４のタブ側端面１４ｃと対向した面（下面）には各正極タブ３１が溶接され、正極第１接合部４１と各正極タブ３１とが電気的に接続されている。
【００２８】
正極端子１５は、角柱状の正極頭部５１と、正極頭部５１の座面５１ａから突出し、かつ外周面にねじ溝を有する正極軸部５２とを備えている。正極軸部５２は、蓋１３に有る貫通孔１３ｂを介してケース１１外に突出している。正極軸部５２は、絶縁性のＯリング５３に挿通されている。また、正極軸部５２はフランジ付きリング５４に挿通されている。フランジ付きリング５４は、貫通孔１３ｂに嵌合する筒状である。
【００２９】
正極軸部５２には、フランジ付きリング５４の上からナット５５が螺合されており、正極端子１５と蓋１３とはユニット化されている。なお、フランジ付きリング５４は、正極軸部５２と蓋１３の貫通孔１３ｂの周縁部との間、及びナット５５と蓋１３との間に介在している。
【００３０】
正極頭部５１は、ケース１１内に配置されている。正極頭部５１における電極組立体１４側の面には正極導電部材４０の正極第２接合部４２が溶接されている。これにより、正極導電部材４０と正極端子１５とが電気的に接続されている。
【００３１】
二次電池１０は、正極頭部５１の一部を覆う絶縁性の第１正極絶縁部材５７と、正極導電部材４０と電極組立体１４との間に介在する絶縁性の第２正極絶縁部材５８とを備えている。第１正極絶縁部材５７は、蓋１３と正極頭部５１との接触を規制するものであり、正極頭部５１に対して蓋１３側から取り付けられている。第１正極絶縁部材５７は、正極頭部５１の座面５１ａ及び外周面の一部を覆っている。第２正極絶縁部材５８は、正極導電部材４０と電極組立体１４との接触を規制するものである。
【００３２】
図３〜図５に示すように、二次電池１０は、負極タブ３２と負極端子１６とを電気的に接続する導電部材としての負極導電部材６０を備える。負極導電部材６０は、一枚の金属板（本実施形態では銅板）で構成されている。負極導電部材６０は、ケース１１の蓋１３と電極組立体１４との間に存在する。
【００３３】
負極導電部材６０は、相対的に蓋１３寄りに配置された負極第１接合部６１と、負極第１接合部６１よりも電極組立体１４に近い位置に配置された負極第２接合部６２と、負極第１接合部６１と負極第２接合部６２とを繋ぐ湾曲状の負極第３接合部６３と、を有する。負極第１接合部６１において、電極組立体１４のタブ側端面１４ｃと対向した面（下面）には各負極タブ３２が溶接され、負極第１接合部６１と各負極タブ３２とが電気的に接続されている。
【００３４】
負極端子１６は、角柱状の負極頭部７１と、負極頭部７１の座面７１ａから突出し、かつ外周面にねじ溝を有する負極軸部７２を備える。負極軸部７２は、蓋１３に有る貫通孔１３ｂを介してケース１１外に突出している。負極軸部７２は、絶縁性のＯリング７３に挿通されている。また、負極軸部７２は、絶縁性のフランジ付きリング７４に挿通されている。フランジ付きリング７４は、貫通孔１３ｂに嵌合する筒状である。
【００３５】
負極軸部７２には、フランジ付きリング７４の上からナット７５が螺合されており、負極端子１６と蓋１３とがユニット化されている。なお、フランジ付きリング７４は、負極軸部７２と蓋１３の貫通孔１３ｂの周縁部との間、及びナット７５と蓋１３との間に介在している。
【００３６】
負極頭部７１は、ケース１１内に配置されている。負極頭部７１における電極組立体１４側の面７１ｂには、図４に示すように、電極組立体１４から蓋１３に向けてすり鉢状に凹んだ端子凹部７１ｃがある。なお、負極端子１６は貫通孔１６ａを有している。貫通孔１６ａは負極端子１６を軸方向に貫通しており、この貫通孔１６ａを介して端子凹部７１ｃはケース１１の外部と連通している。
【００３７】
二次電池１０は、一方の極性の電極端子である負極端子１６と電極組立体１４との通電経路上に設けられた電流遮断部材８０を備える。なお、一方の極性の電極端子（負極端子１６）と接続された導電部材は負極導電部材６０である。電流遮断部材８０は、ケース内に発生したガスによって作動する作動部材である。
【００３８】
次に、図４及び図５を用いて電流遮断部材８０及び負極端子１６について詳しく説明する。
図４に示すように、電流遮断部材８０は、負極端子１６と電極組立体１４との間に配置されている。電流遮断部材８０は、負極端子１６と負極導電部材６０とを電気的に接続し、かつ、ケース１１内に発生したガスによって作動することによって負極端子１６と負極導電部材６０との電気的な接続を遮断する。つまり、電流遮断部材８０は、作動していないときには負極タブ３２を介した負極端子１６と電極組立体１４との通電経路の一部を構成し、ケース１１内に発生したガスの圧力を受けて作動したときに上記通電経路を遮断する。本実施形態において、負極端子１６と電極組立体１４との通電経路は、負極タブ３２と、負極導電部材６０とで構成されている。そして、電流遮断部材８０は、負極導電部材６０の負極第２接合部６２に一体に設けられている。この実施形態において電流遮断部材８０は、一方の極性の電極端子である負極端子１６と一体化されている。
【００３９】
電流遮断部材８０は、負極第２接合部６２と負極頭部７１とに接合された接点板８１を備える。接点板８１は、導電性の材料で構成されており、円板形状であって端子凹部７１ｃを電極組立体１４側から覆っている。接点板８１における端子凹部７１ｃからはみ出している外周部と、負極頭部７１における端子凹部７１ｃの周縁部とは、スポット溶接により固定されている。
【００４０】
接点板８１における端子凹部７１ｃと対向する部分は、通常状態において電極組立体１４側（下方）に凸となっており、この凸部分の突端と負極第２接合部６２とが溶接されている。接点板８１と負極第２接合部６２との溶接部分である負極溶接部分Ｐ（図４中にドットハッチングで示す部分）を負極端子１６と負極導電部材６０とを導通する導通部とする。よって、負極導電部材６０と負極端子１６とは、接点板８１を介して電気的に接続されている。
【００４１】
電流遮断部材８０は、絶縁リング８２を有する。絶縁リング８２は、接点板８１の外周部と負極第２接合部６２との間に配置されている。絶縁リング８２により、負極端子１６と負極第２接合部６２とが間隔を空けて配置されている。また、絶縁リング８２の外側であって負極頭部７１と負極第２接合部６２の間にはシール部材８３が配置されている。
【００４２】
負極第２接合部６２は、電極組立体１４側の面に遮断凹部６０ｃを有する。遮断凹部６０ｃは、電極組立体１４から蓋１３に向けてすり鉢状に凹んでいる。遮断凹部６０ｃの底面に負極溶接部分Ｐが位置している。負極第２接合部６２は、遮断凹部６０ｃの底面となる部位に破断溝８４を備える。破断溝８４は負極溶接部分Ｐを取り囲む円環状である。また、負極第２接合部６２は、破断溝８４と対応して薄肉部８４ａを備える。薄肉部８４ａは、負極第２接合部６２に破断溝８４を形成することによって、厚みが負極第２接合部６２における薄肉部８４ａ以外での部位よりも薄くなった部位のことである。よって、薄肉部８４ａは、破断溝８４と同じで、負極溶接部分Ｐの周囲に設けられた円環状である。
【００４３】
電流遮断部材８０は、ケース１１内の圧力を受圧して変形する変形板８５を備えている。変形板８５は、弾性材料、例えば金属板で構成されたダイヤフラムであり、負極第２接合部６２より電極組立体１４に近い位置に配置されている。変形板８５は、円板形状であって遮断凹部６０ｃを電極組立体１４側から覆っている。変形板８５の外周部と負極第２接合部６２とが変形板８５の外周部の全周にわたって溶接固定されている。変形板８５は、ケース１１内部をケース１１外部からシールする。
【００４４】
変形板８５は、通常状態において蓋１３側から電極組立体１４側（下方）に向けて凸となっており、この凸部分における負極溶接部分Ｐと対向する箇所には、蓋１３に向けて突出した突起８５ａを有する。突起８５ａは、絶縁性の材料により構成されており、破断溝８４で囲まれた負極溶接部分Ｐと対向している。変形板８５は、電極組立体１４側から蓋１３側に向けて設定圧力よりも大きい圧力が付与された場合に、圧力によって変形して蓋１３に向けて凸となるように構成されている。
【００４５】
電流遮断部材８０は、変形板８５より電極組立体１４に近い位置に設置された保護部材８６を備える。保護部材８６は、変形板８５と電極組立体１４との間に配置されている。保護部材８６は、変形板８５に衝撃などが加わって、上述の設定圧力に達する前に変形板８５が変形してしまうことを防止する。保護部材８６は円板形状であり、保護部材８６の上面には、電極組立体１４に向けて凸となった変形板８５に沿うように凹んだ支持凹部８６ａが存在する。支持凹部８６ａの底面には上下方向に貫通したガス孔８６ｂが存在する。二次電池１０では、変形板８５の一方の面（蓋１３側の面）に、貫通孔１６ａを介してケース１１外部の圧力（略大気圧）が作用している。また、変形板８５の他方の面（電極組立体１４側の面）には、ガス孔８６ｂを介して、ケース１１の内部圧力が作用している。そして、ガス孔８６ｂを介して、ケース１１の内部圧力が作用している変形板８５の部位が、ガスからの圧力を受圧する受圧部Ｓ１となる。
【００４６】
また、二次電池１０は、負極頭部７１の座面７１ａ及び外周面を覆う絶縁性の負極絶縁部材８７、上述の負極頭部７１、接点板８１、絶縁リング８２、シール部材８３、負極導電部材６０（負極第２接合部６２）、変形板８５、及び保護部材８６をユニット化するカシメ部材８８を備えている。
【００４７】
また、二次電池１０のケース１１には、図１、図３及び図５に示すように圧力開放弁９０が設けられている。この実施形態の圧力開放弁９０は、ケース１１の蓋１３に位置している。圧力開放弁９０は、蓋１３の板厚よりも薄い薄板状の弁体９１を有する。弁体９１は、蓋１３の上面に凹設された凹部の底に位置しており、蓋１３と一体的に成形されている。また、弁体９１の表面には、交差状の開裂溝９２を有する。
【００４８】
圧力開放弁９０は、ケース１１内に発生したガスからの圧力を受圧する。そして、圧力開放弁９０は、ケース１１内の圧力が設定圧力を超えたときに開裂溝９２の交差部を起点として開裂することにより、ケース１１内の圧力をケース外に開放させる。つまり、圧力開放弁９０は、ケース１１内に発生したガスによって作動する。また、図５に示すように、圧力開放弁９０の弁体９１の裏面が、ガスからの圧力を受圧する受圧部Ｓ２となる。
【００４９】
また、電極組立体１４には、図３及び図５に示すように、複数の保持テープｔ１，ｔ２，ｔ３，ｔ４，ｔ５，ｔ６が貼り付けられている。各保持テープｔ１〜ｔ６は、正極電極２１及び負極電極２２の積層方向に電極組立体１４を保持する。保持テープｔ１，ｔ２は、第１平面１４ａ、タブ側端面１４ｃ、第２平面１４ｂに掛けて貼り付けられている。保持テープｔ１，ｔ２は、第１平面１４ａ及び第２平面１４ｂの各長辺に沿う方向に、所定の間隔をおいて貼り付けられている。なお、第１平面１４ａ及び第２平面１４ｂの各長辺に沿う方向は、タブ側端面１４ｃの長辺に沿う方向と一致する。また、保持テープｔ３，ｔ４は、第１平面１４ａ、側面１４ｅ、第２平面１４ｂに掛けて貼り付けられている。保持テープｔ５，ｔ６は、第１平面１４ａ、側面１４ｆ、第２平面１４ｂに掛けて貼り付けられている。保持テープｔ３〜ｔ６は、第１平面１４ａ及び第２平面１４ｂの各短辺に沿う方向に、所定の間隔をおいて貼り付けられている。
【００５０】
図６に示すように、この実施形態において電極組立体１４のタブ側端面１４ｃには、電極組立体１４がケース１１に収容された状態で、電流遮断部材８０の受圧部Ｓ１（変形板８５の部位）並びに圧力開放弁９０の受圧部Ｓ２（弁体９１の裏面）を投影できる。このため、この実施形態では、電極組立体１４のタブ側端面１４ｃが、電流遮断部材８０の受圧部Ｓ１並びに圧力開放弁９０の受圧部Ｓ２と対向する対向部分Ｍ１，Ｍ２を有する面となる。
【００５１】
そして、この実施形態では、タブ側端面１４ｃにおいて上記した受圧部Ｓ１，Ｓ２と対向する対向部分Ｍ１，Ｍ２を避けた部分（図６中にドットハッチングで示す）を、保持テープｔ１，ｔ２の貼り付け位置としている。つまり、電極組立体１４に貼り付けられる保持テープｔ１〜ｔ６のうち、タブ側端面１４ｃに位置する保持テープｔ１，ｔ２は、電流遮断部材８０の受圧部Ｓ１との対向部分Ｍ１と、圧力開放弁９０の受圧部Ｓ２との対向部分Ｍ２と、をそれぞれ避けて位置している。また、保持テープｔ１は、図４及び図５に示すように、正極端子１５の直下に位置するようにタブ側端面１４ｃの端に寄せて貼り付けられている。一方、保持テープｔ２は、図４及び図５に示すように、電流遮断部材８０の受圧部Ｓ１との対向部分Ｍ１を避けるとともに、一部が負極端子１６の直下に位置するようにタブ側端面１４ｃの端に寄せて貼り付けられている。上記説明のタブ側端面１４ｃの端は、タブ側端面１４ｃと側面１４ｆとが交差する角部、並びタブ側端面１４ｃと側面１４ｅとが交差する角部のそれぞれに位置する部位である。また、保持テープｔ１，ｔ２は、異なる幅のテープであり、保持テープｔ２の方が保持テープｔ１に比して幅狭のテープである。保持テープｔ１，ｔ２の幅は、図４及び図５に示すように、第１平面１４ａ並びに第２平面１４ｂの長辺方向に沿う方向の長さである。因みに、保持テープｔ１，ｔ２は、第１平面１４ａ、タブ側端面１４ｃ、第２平面１４ｂに掛かる方向（幅に直交する方向）に沿う方向の長さは、同一若しくはほぼ同一である。
【００５２】
次に、この実施形態の二次電池１０の作用を説明する。
電流遮断部材８０並びに圧力開放弁９０を備える二次電池１０では、異常時においてケース１１内部でガスが発生すると、これに伴いケース１１の内部圧力が高くなる。このとき、発生した水素ガスの圧力は、ガス孔８６ｂを通じて変形板８５の受圧部Ｓ１に作用するとともに、圧力開放弁９０の受圧部Ｓ２にも作用する。
【００５３】
そして、変形板８５は、発生した水素ガスから受圧する圧力が設定圧力を超えると、蓋１３に向けて凸となるように変形する。すると、図４の二点鎖線に示すように、突起８５ａが破断溝８４で囲まれた負極溶接部分Ｐに衝突する。このとき、破断溝８４を有する負極第２接合部６２は、容易に破断しやすくなっている。このため、負極溶接部分Ｐの周囲が破断され、接点板８１が上方に向けて凸となるように変形する。これにより、接点板８１と負極導電部材６０とが離間した状態になるため、同負極導電部材６０と負極端子１６との電気的接続が物理的に遮断される。なお、電流遮断部材８０は、圧力開放弁９０の作動（開裂）よりも早く作動し、電気的接続を遮断させる。
【００５４】
また、ケース１１内の圧力は、蓋１３の板厚よりも薄い弁体９１の裏面が受圧部Ｓ２となることによって弁体９１を外方に膨張させるように加わる。このとき、弁体９１の開裂溝９２には、ケース１１の内側から加わる圧力によって応力が発生している。そして、圧力開放弁９０は、ケース１１の圧力が設定圧力を超えると開裂し、ケース１１内の圧力が外部に開放される。
【００５５】
この実施形態の電極組立体１４では、タブ側端面１４ｃにおいて保持テープｔ１，ｔ２を、受圧部Ｓ１，Ｓ２との対向部分Ｍ１，Ｍ２を避けて配置している。これにより、発生したガスは、図５に矢印Ｘ，Ｙで示すように、保持テープｔ１，ｔ２によって流通を阻害されることなく、受圧部Ｓ１，Ｓ２のそれぞれに到達することになる。つまり、この実施形態の二次電池１０では、保持テープｔ１，ｔ２の貼り付け位置により、発生したガスが電流遮断部材８０の受圧部Ｓ１並びに圧力開放弁９０の受圧部Ｓ２に到達し易くなるように流通路が設けられる。
【００５６】
したがって、この実施形態では、以下に示す効果を得ることができる。
（１）電極組立体１４を保持する保持テープｔ１〜ｔ６を貼り付けた場合であっても、ガスの流通路が確保されていることで、電流遮断部材８０や圧力開放弁９０は作動に必要な圧力を受圧し、良好に作動できる。これにより、作動性能が向上する。
【００５７】
（２）保持テープｔ１，ｔ２を電極組立体１４のタブ側端面１４ｃの端に位置していることにより、電極組立体１４を良好に保持することができる。これにより、電極組立体１４の積層ずれなどによる電極の短絡などを回避することができる。
【００５８】
（３）保持テープｔ２を、電流遮断部材８０の受圧部Ｓ１並びに圧力開放弁９０の受圧部Ｓ２との対向部分Ｍ１，Ｍ２を避けるように貼り付けるので、保持テープ自体に特別な加工などを施す必要がない。このため、二次電池１０の製造工程を簡素化できる。
【００５９】
（第２の実施形態）
次に、蓄電装置を二次電池に具体化した第２の実施形態について図７を用いて説明する。以下に説明する実施形態では、既に説明した実施形態と同一構成については同一符号を付すなどして、その重複する説明を省略又は簡略する。
【００６０】
図７に示すように、この実施形態では、負極端子１６の直下に、第１の実施形態の保持テープｔ２に代えて形状の異なる保持テープｔ２Ａを貼り付けている。保持テープｔ２Ａは、正極端子１５の直下に位置する保持テープｔ１と同一幅並びに同一長さを有する。また、保持テープｔ２Ａは、保持テープｔ１と同様に、負極端子１６の直下に位置するようにタブ側端面１４ｃの端に寄せて貼り付けられている。そして、図７（ａ），（ｂ）に示すように、この実施形態の保持テープｔ２Ａには、ガスの流通路となる孔９５が穿設されている。孔９５は、電流遮断部材８０の受圧部Ｓ１との対向部分Ｍ１に穿設されている。
【００６１】
次に、この実施形態の二次電池１０の作用を説明する。
この実施形態において保持テープｔ２Ａには、電流遮断部材８０の受圧部Ｓ１との対向部分Ｍ１に孔９５が穿設されている。これにより、発生したガスは、保持テープｔ２Ａによって流通を阻害されることなく、受圧部Ｓ１に到達することになる。つまり、この実施形態の二次電池１０では、保持テープｔ２Ａにより、発生したガスが電流遮断部材８０の受圧部Ｓ１に到達し易くなるように流通経路が設けられる。なお、圧力開放弁９０に対するガスの流通路は、第１の実施形態と同様に設けられ、その作用は第１の実施形態と同様である。
【００６２】
したがって、この実施形態では、第１の実施形態の効果（１）及び（２）に加え、以下に示す効果を得ることができる。
（４）保持テープｔ２Ａにガスの流通路となる孔９５を穿設し、その孔９５を介して電流遮断部材８０の受圧部Ｓ１にガスが流れるようにしている。このため、保持テープｔ２Ａにより、ガスの流通路を確保しつつ、貼り付け面積も確保できる。したがって、電流遮断部材８０の作動性能を向上させることができるとともに、保持テープによって電極組立体１４を良好に保持できる。
【００６３】
なお、本実施形態は以下のように変更してもよい。
○  電流遮断部材８０に保護部材８６が無く、変形板８５が露出する場合は、図４に示すように変形板８５の全域が電流遮断部材８０の受圧部Ｓ３となる。このため、第１の実施形態の構成であれば保持テープｔ２は、受圧部Ｓ３との対向部分を避けて位置するように貼り付ける。また、第２の実施形態の構成であれば保持テープｔ２Ａには、受圧部Ｓ３との対向部分に孔が穿設される。
【００６４】
○  第１の実施形態において、タブ側端面１４ｃ側の保持テープｔ２の配置は、受圧部Ｓ１，Ｓ２との対向部分Ｍ１，Ｍ２を避けていれば変更しても良い。例えば保持テープｔ２は、負極タブ３２寄りに位置していても良い。なお、第１，第２の実施形態における保持テープｔ１の配置は、受圧部Ｓ１，Ｓ２との対向部分Ｍ１，Ｍ２を避けていれば変更しても良い。
【００６５】
○  電極組立体１４において側面１４ｅ，１４ｆ側の保持テープｔ３〜ｔ６の配置（個数を含む）は変更しても良い。また、底面１４ｄ側に保持テープを貼り付けても良い。
○  電流遮断部材８０と圧力開放弁９０の両方を備える場合において、受圧部Ｓ１，Ｓ２との対向部分Ｍ１，Ｍ２が、電極組立体１４の異なる面に存在していても良い。この場合は、対向部分Ｍ１，Ｍ２が存在するそれぞれの面において、これらの対向部分Ｍ１，Ｍ２を避けるように保持テープを貼り付ける。
【００６６】
○  電極組立体１４において、電流遮断部材８０の受圧部Ｓ１や圧力開放弁９０の受圧部Ｓ２との対向部分Ｍ１，Ｍ２が、タブ側端面１４ｃとは異なる面に存在していても良い。または、一方の受圧部との対向部分がタブ側端面１４ｃに存在し、他方の受圧部との対向部分がタブ側端面１４ｃとは異なる面に存在していても良い。
【００６７】
○  二次電池１０は、電流遮断部材８０若しくは圧力開放弁９０のいずれか一方を備えていても良い。この場合、電流遮断部材８０や圧力開放弁９０の受圧部との対向部分は、電極組立体１４のタブ側端面１４ｃに存在していても良いし、他の面に存在していても良い。
【００６８】
○  電流遮断部材８０を設ける一方の極性の電極端子を正極端子１５としても良い。このとき、一方の極性の電極端子である正極端子１５と接続される導電部材は正極導電部材４０となる。
【００６９】
○  電流遮断部材８０は、電極端子に一体化されたものでなくても良い。例えば、負極第１接合部６１と負極第２接合部６２との間に位置して通電経路を構成し、受圧部によってガスの圧力を受けることで通電経路を遮断しても良い。
【００７０】
○  また、電流遮断部材８０の具体的な構成は変更しても良い。例えば、破断溝８４は環状ではなく、負極溶接部分Ｐの外側に間隔を空けて設けられた凹部であってもよい。また、変形板８５を無くし、ケース１１内に発生したガスを負極溶接部分Ｐで受圧し、直接破断させる構成でもよい。
【００７１】
○  圧力開放弁９０の具体的な構成は変更しても良い。例えば、弁体９１の形状や開裂溝９２の形状を変更しても良い。
○  電極組立体１４の具体的な構成は変更しても良い。例えば、正極電極２１、負極電極２２、セパレータ２３の形状を変更しても良い。例えば、正面視正方形でも良い。
【００７２】
○  負極導電部材６０の負極第１接合部６１や正極導電部材４０の正極第１接合部４１を覆う絶縁カバーを取り付けても良い。この絶縁カバーは、ケース１１内であって、負極第１接合部６１並びに正極第１接合部４１の各上面と蓋１３の裏面との間に位置する。なお、絶縁カバーは、圧力開放弁９０の受圧部Ｓ２との対向部分Ｍ２を避けて位置していることが望ましく、例えば受圧部Ｓ２との対向部分Ｍ２にガスの流通路となる孔が穿設されていても良い。
【００７３】
○  二次電池１０は、異常時に水素ガス以外のガス（例えばメタンガスや、二酸化炭素、一酸化炭素など）を発生する成分を含む電解液を有する二次電池にも適用可能である。
○  実施形態は、例えばキャパシタなど、二次電池以外の蓄電装置にも適用可能である。
【００７４】
○  二次電池１０は、車載用に限らず、住宅などに用いる定置用でも良い。
○  積層型の二次電池１０に限らず、帯状の正極電極と帯状の負極電極を捲回して層状に積層した捲回型の二次電池に適用しても良い。
【符号の説明】
【００７５】
１０…蓄電装置としての二次電池、１１…ケース、１２…ケース本体、１３…蓋、１４…電極組立体、１４ｃ…電極組立体の一面としてのタブ側端面、１５…電極端子としての正極端子、１６…電極端子としての負極端子、３１…正極タブ、３２…負極タブ、４０…導電部材としての正極導電部材、６０…導電部材としての負極導電部材、８０…作動部材としての電流遮断部材、９０…圧力開放弁、９５…孔、Ｓ１，Ｓ２…受圧部、Ｍ１，Ｍ２…対向部分、ｔ１〜ｔ６，ｔ２Ａ…保持テープ。
【図１】
0006394894.tif 000002
【図２】
0006394894.tif 000003
【図３】
0006394894.tif 000004
【図４】
0006394894.tif 000005
【図５】
0006394894.tif 000006
【図６】
0006394894.tif 000007
【図７】
0006394894.tif 000008